(57)【要約】【課題】連結状態における一体感を向上させた連結型ショーケースを提供する。【解決手段】  連結型ショーケース１は、陳列室９が所定の温度に冷却される低温ショーケース２と、陳列室１９内の冷却を行わない非冷ショーケース３とを備え、低温ショーケース２の上面に取り付けられた左右対称形を有する取付枠２１と、低温ショーケース２の一側に非冷ショーケース３を配置した状態で、該非冷ショーケース３上部を取付枠２１の一側部に連結する上部連結具２２と、取付枠２１及び上部連結具２２を覆う天面カバー２４とを備える。【選択図】図２
0003111475.tif 000002
【実用新案登録請求の範囲】
【請求項１】
陳列室が所定の温度に冷却される低温ショーケースと、陳列室内の冷却を行わない非冷ショーケースとを備え、
前記低温ショーケースの上面に取り付けられた左右対称形を有する取付枠と、
前記低温ショーケースの一側に前記非冷ショーケースを配置した状態で、該非冷ショーケース上部を前記取付枠の一側部に連結する上部連結具と、
前記取付枠及び上部連結具を覆う天面カバーとを備えたことを特徴とする連結型ショーケース。
【請求項２】
前記非冷ショーケース内下部を前記低温ショーケースの底面一側部に連結する下部連結具とを備えたことを特徴とする請求項１の連結型ショーケース。
【請求項３】
前記低温ショーケース内上部に設けられた庫内照明灯と、前記天面カバーに構成された透光性の広告表示部とを備え、前記庫内照明灯により前記広告表示部を後方から照らすことを特徴とする請求項１又は請求項２の連結型ショーケース。
【考案の詳細な説明】
【技術分野】
【０００１】
本考案は、低温ショーケースと非冷ショーケースを連結して構成される連結型ショーケースに関するものである。
【背景技術】
【０００２】
従来よりスーパーマーケットやコンビニエンスストア等の店舗には商品を陳列販売するためのショーケースが複数台設置されている。この場合、ショーケースとしては内部を冷却装置によって所定温度（冷蔵／冷凍）に冷却する低温ショーケースと、このような冷却機能を有しない非冷ショーケースとがあり、低温ショーケースには冷却が必要な飲料や食品が陳列され、非冷ショーケースには常温での保存が可能な商品が陳列されている。
【０００３】
また、商品の陳列形態によってはこのような低温ショーケースと非冷ショーケースとが並べて設置される場合があるが、特に外観上の問題から両ショーケース間の不連続感を無くす必要がある。このような場合、従来では複数台のショーケースを連結用の金具で連結していた（例えば、特許文献１参照）。
【特許文献１】特開平７−６７７５１号公報
【考案の開示】
【考案が解決しようとする課題】
【０００４】
しかしながら、ショーケースを連結する場合、従来では単に二台のショーケースの壁面の双方に連結用の金具を当接させ、ボルトにて両ショーケースに固定するものであったため、両ショーケースの一体感に乏しく、外観上好ましいものでは無かった。
【０００５】
本考案は、係る従来の技術的課題を解決するために成されたものであり、連結状態における一体感を向上させた連結型ショーケースを提供するものである。
【課題を解決するための手段】
【０００６】
即ち、本考案の連結型ショーケースは、陳列室が所定の温度に冷却される低温ショーケースと、陳列室内の冷却を行わない非冷ショーケースとを備え、低温ショーケースの上面に取り付けられた左右対称形を有する取付枠と、低温ショーケースの一側に非冷ショーケースを配置した状態で、該非冷ショーケース上部を取付枠の一側部に連結する上部連結具と、取付枠及び上部連結具を覆う天面カバーとを備えたことを特徴とする。
【０００７】
また、請求項２の考案の連結型ショーケースは、上記において非冷ショーケース内下部を低温ショーケースの底面一側部に連結する下部連結具とを備えたことを特徴とする。
【０００８】
また、請求項３の考案の連結型ショーケースは、上記各考案において低温ショーケース内上部に設けられた庫内照明灯と、天面カバーに構成された透光性の広告表示部とを備え、庫内照明灯により広告表示部を後方から照らすことを特徴とする。
【考案の効果】
【０００９】
本考案の連結型ショーケースは、陳列室が所定の温度に冷却される低温ショーケースと、陳列室内の冷却を行わない非冷ショーケースとを備え、低温ショーケースの上面に取り付けられた左右対称形を有する取付枠と、低温ショーケースの一側に非冷ショーケースを配置した状態で、該非冷ショーケース上部を取付枠の一側部に連結する上部連結具と、取付枠及び上部連結具を覆う天面カバーとを備えているので、両ショーケースを連結するための取付枠及び上部連結具は天面カバーで覆われて外部から見えなくなり、一体感が向上して外観上好ましいものとなる。
【００１０】
特に、取付枠は左右対称形を呈しているので、非冷ショーケースを低温ショーケースの左右何れの側にも取り付けることができるようになり、店舗における設置上の自由度も向上するものである。
【００１１】
また、請求項２の考案では、上記に加えて非冷ショーケース内下部を低温ショーケースの底面一側部に連結する下部連結具とを備えているので、外観に影響を与えることなく、両ショーケースの下部も連結できるようになり、連結強度を向上させることができるものである。
【００１２】
更に、請求項３の考案では、上記各考案に加えて低温ショーケース内上部に設けられた庫内照明灯と、天面カバーに構成された透光性の広告表示部とを備えており、庫内照明灯により広告表示部を後方から照らすようにしたので、低温ショーケースの庫内照明灯を用いて天面カバーの広告表示部を後方から照らし出すことができるようになり、格別な照明を追加すること無く、販売効果の向上を図ることができるようになるものである。
【考案を実施するための最良の形態】
【００１３】
以下、図面に基づき本考案の実施形態を詳述する。図１は本考案の一実施例の連結型ショーケース１の斜視図、図２は同連結型ショーケース１の分解斜視図をそれぞれ示している。本考案の連結型ショーケース１は、スーパーマーケットやコンビニエンスストアの店舗に設置されて例えば冷蔵（或いは冷凍）商品と非冷商品（常温保存可能な商品）を陳列販売するために用いられるものであり、低温ショーケース２と非冷ショーケース３とを連結して構成されている。
【００１４】
実施例の低温ショーケース２は、底部の断熱壁から成る本体４と、鋼板製の背面パネル６と、両側の透明ガラス製側板７、７と、硬質合成樹脂板等から成る天板８とを備え、これらの内側に前面に開口した陳列室９が構成されたオープンショーケースである。本体４を構成する断熱壁内には図示しない冷却器と送風機が設けられ、断熱壁の下側には図示しない機械室が構成されている。この機械室内には底板（図５）上に前記冷却器と共に冷却装置を構成するコンプレッサやコンデンサ等が設置される。尚、１１はこの機械室の前面パネルである。陳列室９内はこの冷却装置の冷却器によって所定の冷蔵温度に冷却される。
【００１５】
また、陳列室９内には商品陳列用の棚１２・・（鋼板或いは硬質合成樹脂製）が上下に複数段（実施例では四段）架設されている。更に、天板８の前部は下側に向けて折曲されており、この前部の内側には蛍光灯（照明灯）１３が左右に渡って取り付けられ、陳列室９内を照明する。また、この蛍光灯１３に対応する位置の天板８は切り欠かれ、左右に渡る切欠部８Ａが形成されている。更に、側板７は周囲の枠部７Ａ内に透明板ガラス７Ｂを嵌め込んだ構成とされている。
【００１６】
一方、非冷ショーケース３は、鋼板、木材或いは硬質合成樹脂から成るベース箱体１６と、このベース箱体１６の背部に立設されたフレーム１７と、このフレーム１７に上下に複数段（実施例では四段）架設された商品陳列用の棚１８・・（同じく鋼材、木材或いは硬質合成樹脂製）とから構成されており、このベース箱体１６上方の棚１８・・のある領域が非冷ショーケース９の陳列室１９となる。この場合、ベース箱体１６の上面１６Ａ及び前面１６Ｂは開閉自在とされている。また、フレーム１７は縦長の長方形枠状を呈した断面矩形状の鋼材より構成されており、その上辺１７Ａは低温ショーケース２の天板８及び側板７より後述する取付枠２１の基材２６の分高い位置にて水平方向に渡っており（図３）、下辺１７Ｂはベース箱体１６内の後下縁に位置して水平方向に渡っている（図５）。
【００１７】
これら低温ショーケース２及び非冷ショーケース３は、後に詳述する取付枠２１、上部連結具２２及び下部連結具２３にて分離可能に連結される。そして、この取付枠２１及び上部連結具２２が天面カバー２４にて覆われて連結型ショーケース１が組み立てられることになる。
【００１８】
この場合、取付枠２１は図３に示すような櫓状を呈した左右対称形状を有している。即ち、取付枠２１は所定間隔を存して左右に位置し、前後に渡る基材２６、２６と、これら基材２６、２６間に渡って固定された前後の桟材２７、２７と、基材２６、２６の後端からそれぞれ垂下するフランジ２８とを備えている。また、両基材２６、２６上面には複数のネジ孔が形成されると共に、フランジ２８にもネジ孔が形成されている。
【００１９】
また、上部連結具２２は所定の幅の備えた鋼板を略下向きコ字状に屈曲して構成されており、この上部連結具２２にもネジ孔が形成されている。また、下部連結具２３は図２、図５に示すような階段形状を呈した所定幅の鋼板にて構成され、立ち上がった高位部にはネジ孔が、それから階段状に下がった低位部には櫛状に切り込まれた溝２３Ａが形成されている。
【００２０】
更に、前記天面カバー２４は上面とその周囲から降下する側面とを備えており、その内面には略Ｌ字状の取付金具３１、３２が取り付けられている。この場合、後側の取付金具３２には左右に延在する長孔が形成されている。また、天面カバー２４の前側の側面には透光性の広告表示部３３が形成されている。
【００２１】
次に、両ショーケース２、３を連結する手順を説明する。先ず、低温ショーケース２の天板８上面に取付枠２１を載置する。このとき、取付枠２１の基材２６、２６は両側板７、７上、或いは、その内側の天板８上両側にそれぞれ位置しており、その状態で基材２６、２６を低温ショーケース２の側板７の枠部７Ａ上面（又は天板８）にネジ止めする。次に、非冷ショーケース３のフレーム１７を低温ショーケース２の例えば向かって左側に配置し、左側の側板７外面に押し当てる。このとき、非冷ショーケース３は低温ショーケース１を正面から見て左方を向いており、フレーム１７の上辺１７Ａは取付枠２１の向かって左側の基材２６と略同じ高さでそれに隣接する。
【００２２】
この状態で、フレーム１７の上辺１７Ａと取付枠２１の基材２６（向かって左側）に渡って上から上部連結具２２を被せ、基材２６にネジ止めする。このとき、上部連結具２２は基材２６の向かって右側面（低温ショーケース２を正面から見て右側となる面）及び上辺１７Ａの前面（非冷ショーケース３を正面から見て前側となる面）に当接して嵌合するので、低温ショーケース２と非冷ショーケース３の上部はこれによって強固に連結される。
【００２３】
他方、上記非冷ショーケース３を低温ショーケース２の左側に配置する以前に、下部連結具２３の低位部を低温ショーケース２の下側に向かって左側から挿入する。このとき、低温ショーケース２の機械室底面を構成するユニットベース３６両側部にはネジ３７が突出して螺合されており、このネジ３７に下部連結具２３の溝２３Ａを係合させ、ネジ３７を締め込んで下部連結具２３を低温ショーケース２の底面に取り付けておく。
【００２４】
次に、上述の如く非冷ショーケース３を低温ショーケース２の左側に配置すると、下部連結具２３の高位部はフレーム１７の下辺１７Ｂ上に被さるので、この高位部をした辺１７Ｂにネジ止めする。この作業はベース箱体１６の上面１６Ａ或いは前面１６Ｂを開けて行う。これによって、非冷ショーケース３内下部は低温ショーケース２の底面左側に強固に連結される。このように下部連結具２３は非冷ショーケース３のベース箱体１６内に隠されるので、外部から見えない。
【００２５】
このように低温ショーケース２と非冷ショーケース３を上下で連結した後、天面カバー２４の前側の取付金具３１を取付枠２１の前側の桟材２７下側に図４の如く後側から係合させ、後側の取付金具３２を後側の桟材２７後面に当接させる。そして、この取付金具３２の長孔とフランジ２８の孔にネジを通して締め付け、天面カバー２４を取付枠２１に固定する。
【００２６】
このとき、天面カバー２４は低温ショーケース２から非冷ショーケース３に渡って取付枠２１と上部連結具２２を覆い隠すので、両ショーケース２、３の連結状態における一体感が向上し、外観も好ましくなる。また、広告表示部３３は切欠部８Ａの前側に対応するので、蛍光灯１３の光はこの切欠部８Ａを通過して後方から広告表示部３３を照らし出すことになる。これにより、商品アピールをより強力に行い、販売効果を向上させることができる。
【００２７】
尚、非冷ショーケース３を低温ショーケース２の向かって右側に連結する場合には、前述と逆に非冷ショーケース３のフレーム１７を低温ショーケース２の向かって右側に配置し、右側の側板７外面に押し当てる。このとき、取付枠２１は左右対称形状であるので、フレーム１７の上辺１７Ａは取付枠２１の向かって右側の基材２６と略同じ高さでそれに隣接する。
【００２８】
その状態で、フレーム１７の上辺１７Ａと取付枠２１の基材２６（向かって右側）に渡って上から上部連結具２２を被せ、基材２６にネジ止めする。また、下部連結具２３も、その低位部を今度は低温ショーケース２の下側に向かって右側から挿入し、向かって右側のネジ３７に取り付けておく。そして、同様にベース箱体１６内でネジ止めして連結する。そして、同様に天面カバー２４を被せれば、非冷ショーケース３は低温ショーケース２の向かって右側に連結されることになる。
【００２９】
このとき、フレーム１７の寸法分、天面カバー２４は図１の状態よりも向かって右方に移動することになるが、取付金具３２には左右の長孔が形成されているので、この移動は十分に吸収できる。このように、本考案によれば非冷ショーケース３を低温ショーケース２の左右何れの側にも極めて容易に連結することができるものである。
【図面の簡単な説明】
【００３０】
【図１】本考案の一実施例の連結型ショーケースの斜視図である。
【図２】図１の連結型ショーケースの分解斜視図である。
【図３】天面カバーを除く図１の連結型ショーケース上部の拡大斜視図である。
【図４】図１の連結型ショーケース上部の透視側面図である。
【図５】図１の連結型ショーケース下部の透視正面図である。
【符号の説明】
【００３１】
１    連結型ショーケース
２    低温ショーケース
３    非冷ショーケース
２１  取付枠
２２  上部連結具
２３  下部連結具
２４  天面カバー
【図１】
0003111475.tif 000003
【図２】
0003111475.tif 000004
【図３】
0003111475.tif 000005
【図４】
0003111475.tif 000006
【図５】
0003111475.tif 000007